(57)【要約】【課題】トンネル壁面等の取付面に各種ケーブル等の配線部材を配線支持するに際し、彎曲している取付面であっても簡単に取付固定できるようにする。【解決手段】取付面Ｔがわで開口した断面で溝形の取付ベース１に、取付面Ｔに固定させる１個の固定部１０と、取付ベース１の開口部の両側縁に沿って所定間隔毎に取付ベース１の外方に突出形成して、取付面Ｔに当接させる適数の爪片２１から成る回転防止部２０と、取付ベース１の上側部に開穿配列した隣接する対状の支持孔３１から成る適数の支持部３０とを設ける。取付ベース１のほぼ中央位置に配置した固定部１０を中心として支持部３０を対称的に配列する。爪片２１は、固定部１０位置から取付ベース１の端部側に至るに伴い高さを次第に高くして構成し、支持部３０の支持孔３１に折曲延設した支持片３２の端縁に角波形状の係合縁３３を形成して、配線支持金具４０を確実に係合させる。【選択図】図１
2015077020.tif 000002
【特許請求の範囲】
【請求項１】
取付面がわで開口されている断面で溝形を呈する取付ベースに、取付面に固定させる１個の固定部と、取付ベースの開口部の両側縁に沿って所定間隔毎に取付ベースの外方に突出形成されていて、取付面に当接される適数の爪片から成る回転防止部と、取付ベースの上側部面に載置される配線部材を固定支持する配線支持金具を係合支持させるよう、取付ベースの上側部に開穿配列した隣接する対状の支持孔から成る適数の支持部とを設けたことを特徴とする配線支持金具用台座具。
【請求項２】
固定部は、取付ベースのほぼ中央位置に配置されていて、支持部は固定部を中心として対称的に配列してある請求項１に記載の配線支持金具用台座具。
【請求項３】
回転防止部の爪片は、固定部位置から取付ベースの端部側に至るに伴い高さを次第に高くしてある請求項１または２に記載の配線支持金具用台座具。
【請求項４】
支持部の支持孔には、配線部材の配線方向に沿う前後の孔縁から取付ベースの内方に向けて折曲延設された支持片の端縁に波形状の係合縁を形成してある請求項１乃至３のいずれかに記載の配線支持金具用台座具。
【請求項５】
固定部は、取付面に設けられたオネジアンカー材に嵌め合わせる固定孔によって形成してある請求項１乃至４のいずれかに記載の配線支持金具用台座具。
【請求項６】
支持部における隣接する対状の支持孔相互間の取付ベースの上側部位には、支持孔の孔縁を取付ベースの内方側に折曲あるいは彎曲させて配線保護部となしてある請求項１乃至５のいずれかに記載の配線支持金具用台座具。
【発明の詳細な説明】
【技術分野】
【０００１】
本発明は、例えば道路トンネル内でその壁面に沿って各種のケーブル、電線管等を配線・配管するとき、配線作業を簡単迅速に行うことができ、しかも彎曲しているトンネル壁面であってもこの彎曲面に沿ってしっかり固定でき、容易に脱落することなく配線状態を長期にわたり安定的に維持できるようにした配線支持金具用台座具に関する。
【背景技術】
【０００２】
従来から、例えばトンネル壁面に沿ってケーブル、電線管等を配線・配管するに際し、壁面に取り付けた台座に、例えば対状にあるいは門字形に構成された配線支持金具によって挟み込んだり跨ぐようにしたりしてケーブル類等を係合することで固定支持しており、例えば特許文献１に示される配管類用締付け固定具がある。この固定具は、リップ溝形鋼製の配管用取付部材をその奥部壁にてトンネル等の天井面にねじ止め固定し、配管用取付部材の開口部に形成された係合部に、ケーブル類等を挟み込んで相互にねじ止めされる一対の押え部材の係止部を係合するようにして成る。そして、この固定具は、トンネルの天井面、壁面等に沿って所定間隔毎に配設し、配管用取付部材相互間に架け渡しながら押え部材によってケーブル類等を支持固定するようになっている。
【先行技術文献】
【特許文献】
【０００３】
【特許文献１】特許第２９０９４０４号公報
【発明の概要】
【発明が解決しようとする課題】
【０００４】
この特許文献１に示される固定具によると、配管用取付部材のトンネル天井面等への固定は、配管用取付部材の奥部壁の外側面を当接させるようにするから、配管用取付部材自体を複数箇所で固定しなければならず、固定作業が面倒であるばかりでなく、配管用取付部材自体の回転等に伴う位置ずれが生じ、配管支持形態が変動するおそれがある。
【０００５】
また、特許文献１には示されていないが、所定の取付面に配置し取り付けた断面溝形の台座金具に配線・配管用取付部材を固定して、台座金具相互間で配管類を架け渡すようにして配管・配線する場合、配線・配管用取付部材自体の台座金具に対する配線・配管の位置決めには、これらの配線・配管用取付部材を係合させる部位を台座金具それぞれにいわゆる墨出しによって表示する必要があるから、手間が掛かり面倒である。
【０００６】
しかも、これらの配線・配管用取付部材の取付作業は、トンネル内でケーブル類等を配線・配管によって延線させるのに従いこれらの配線・配管長さに対応するから、配線・配管用取付部材自体の固定、固定部位の位置決め墨出しも膨大な作業量となるばかりでなく、費用も掛かるものであった。
【０００７】
そこで本発明は上述したような従来存した諸事情に鑑み創出されたもので、その目的は主としてトンネル壁面、天井面等の取付面に各種ケーブル、電線管等の配線部材等を配線・配管支持するに際し、彎曲している取付面であっても簡単に取付固定でき、取付後の１点支持状態であっても台座具自体が取付面に対し回転することなく取付安定性に優れると共に、架け渡される配線部材の配線位置を容易に確認しながら配線支持金具による配線部材の係合支持を確実にし、配線部材の配線支持の取付安定性を向上できるようにした配線支持金具用台座具を提供することにある。
【課題を解決するための手段】
【０００８】
上述した課題を解決するため、本発明にあっては、後述する発明を実施するための形態における使用符号を付記して説明すると、取付面Ｔがわで開口されている断面で溝形を呈する取付ベース１に、取付面Ｔに固定させる１個の固定部１０と、取付ベース１の開口部の両側縁に沿って所定間隔毎に取付ベース１の外方に突出形成されていて、取付面Ｔに当接される適数の爪片２１から成る回転防止部２０と、取付ベース１の上側部面に載置される配線部材Ｐを固定支持する配線支持金具４０を係合支持させるよう、取付ベース１の上側部に開穿配列した隣接する対状の支持孔３１から成る適数の支持部３０とを設けたことを特徴とする。
固定部１０は、取付ベース１のほぼ中央位置に配置されていて、支持部３０は固定部１０を中心として対称的に配列して構成することができる。
回転防止部２０の爪片２１は、固定部１０位置から取付ベース１の端部側に至るに伴い高さを次第に高くして構成することができる。
支持部３０の支持孔３１には、配線部材Ｐの配線方向に沿う前後の孔縁から取付ベース１の内方に向けて折曲延設された支持片３２の端縁に波形状の係合縁３３を形成することができる。
固定部１０は、取付面Ｔに設けられたオネジアンカー材Ｕに嵌め合わせる固定孔１１によって構成することができる。
支持部３０における隣接する対状の支持孔３１相互間の取付ベース１の上側部位には、支持孔３１の孔縁を取付ベース１の内方側に折曲あるいは彎曲させて配線保護部３５となすことで構成することができる。
【０００９】
以上のように構成された本発明に係る配線支持金具用台座具にあって、取付ベース１は、取付面Ｔに設けられた例えばオネジアンカー材Ｕに固定部１０を嵌め合わせ、ナット材Ｎをねじ込むことで取付面Ｔに取り付けられ、回転防止部２０の爪片２１が取付面Ｔに強く圧止することで、１個の固定部１０によって取付面Ｔに取り付けられても、１点支持状態の取付ベース１自体を回転させることがない。
取付ベース１のほぼ中央部に配した固定部１０によって、取付面Ｔに設けられたオネジアンカー材Ｕに対する例えばナット材Ｎによるねじ込み固定時の締め付けは、取付ベース１の端部側に至るに伴い次第に高くなる爪片２１を取付面Ｔに対して一層圧接させる。と同時に、取付面Ｔが彎曲していても、取付ベース１自体を彎曲面に沿って反り返り状に彎曲させることで密着させ、取付安定性を向上させる。
支持部３０の対状の支持孔３１は、その間における配線保護部３５にて所定の配線部材Ｐを載置させて位置決めさせると共にその被覆等を損傷させずに、配線部材Ｐを跨ぎあるいは挟持する配線支持金具４０の係合部を挿入させて係合させる。また、支持孔３１に折曲延設した支持片３２の係合縁３３は、配線支持金具４０における係合部４１を係合位置決めさせ、配線部材Ｐの支持固定後での支持安定性を確保させ、外部からの衝撃、外力等によって離脱、抜脱等が生じても、支持している配線部材Ｐを落下させない。
【発明の効果】
【００１０】
本発明は以上説明したように構成されているため、主としてトンネル壁面、天井面等の取付面Ｔに各種ケーブル、電線管等の配線部材Ｐ等を配線・配管支持するに際し、彎曲している取付面Ｔであってもその彎曲面に沿って取付ベース１を固定部１０の１点支持で取付固定でき、配線部材Ｐの配線方向に沿って多数で取り付けることでもその作業を簡単に連続的に遂行でき、作業能率を向上できる。また、１点支持による取付後でも本発明に係る台座具自体が取付面Ｔに対して、取付面Ｔに圧接する回転防止部２０が取付ベース１を回転させることがないから、取付安定性に優れ、設置状態を向上させる。しかも、多数の台座具相互間で架け渡されて配線される配線部材Ｐの配線位置は、支持部３０における隣接する対状の支持孔３１相互間の部位として容易に確認できると共に、その対状の支持孔３１に対して配線支持金具４０を確実に係合支持させ、配線部材Ｐの固定を確実にし、配線部材Ｐの配線支持の取付安定性を向上させることができる。
【００１１】
すなわちこれは本発明において、取付面Ｔがわで開口されている断面で溝形の取付ベース１に、取付面Ｔに固定させる１個の固定部１０と、取付ベース１の開口部に沿って取付面Ｔに当接される適数の爪片２１から成る回転防止部２０と、取付ベース１の上側部に配線する配線部材Ｐを支持する配線支持金具４０を係合支持させるよう、取付ベース１の上側部に開穿配列した隣接する対状の支持孔３１から成る適数の支持部３０とを設けたからである。これによって、彎曲しているトンネル壁面等への簡単な作業による確実な取付支持、配線部材Ｐの支持位置の確認、載置、配線支持金具４０による配線部材Ｐが脱落しない確実な固定支持等を図ることができる。
【００１２】
また、固定部１０は取付ベース１のほぼ中央位置に配置され、支持部３０は固定部１０を中心として対称的に配列されていることで、取付ベース１自体の１点支持を可能にし、配線支持すべき複数の配線部材Ｐを重量的にでもバランスよく支持できる。
【００１３】
取付ベース１に設けた回転防止部２０は、１個の固定部１０によって取付ベース１を取付面Ｔに取り付けても、固定部１０部位による締め付けに伴い取付面Ｔに強く圧接し、その爪片２１が取付面Ｔに引っ掛かり、しかもその爪片２１は取付ベース１の開口縁の両側で配置形成されていることと相俟ち、取付ベース１自体が１点で支持されていてもいずれの方向にでも取付ベース１自体を回転させない。また、この爪片２１は、固定部１０位置から取付ベース１の端部側に至るに伴い高さを次第に高くしてあるから、固定部１０による１点で取付面Ｔに強く締め付けられるときは取付ベース１の端部側の爪片２１が一層強く反り返り状で取付面Ｔに圧接し、彎曲している取付面Ｔであっても取付ベース１を密着させ、取付安定性を向上できる。
【００１４】
しかも、１点支持でも取付ベース１は回転されずに取付安定性に優れるから、取付ベース１自体を取り付ける例えばねじ止め作業も簡単であり、配線方向に沿って多数で取付ベース１を取り付けるにしてもその作業を極めて効率的に遂行させる。
【００１５】
配線部材Ｐを支持する配線支持金具４０を係合支持させる支持部３０は、隣接して対状にして組み合わせられる支持孔３１によるから、それらの支持孔３１に、配線部材Ｐを例えば跨いだ状態で配線支持金具４０を係合させれば足り、しかも、配線部材Ｐを配線するために載置させる位置は、組み合わせられる支持孔３１の相互間として確認できるから、従来のようにその目印をその都度、表示する墨出し作業の必要はなく、作業を簡素化できる。
【００１６】
また、支持孔３１に係合させた配線支持金具４０は、支持孔３１の配線方向に沿った前後の孔縁に設けた支持片３２によって、波形状の係合縁３３を有していることと相俟ち、配線支持金具４０をしっかりと係合させ、位置ずれを生じさせず、配線方向に沿う配線支持金具４０のいずれか１個が脱落することがあっても、他の配線支持金具４０に影響を与えず、その支持状態を長期にわたり維持し、保守点検を容易にさせる。
【００１７】
支持部３０における隣接する対状の支持孔３１相互間には配線保護部３５を設けてあり、この配線保護部３５上に配線部材Ｐを載置させても、支持部３０における隣接する対状の支持孔３１相互間の取付ベース１の上側部位には、支持孔３１の孔縁を取付ベース１の内方側に折曲あるいは彎曲させて配線保護部３５となしてあるから、配線部材Ｐを損傷させず、しかも、従来であれば使用されていた保護材を別に用意する必要もない。
【００１８】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１９】
【図１】本発明を実施するための一形態を示す使用状態時の分解斜視図である。
【図２】同じく図１におけるＡ−Ａ線に沿う断面を含む取付ベースの開口がわから見た要部斜視図である。
【図３】同じく図１におけるＢ−Ｂ線に沿う断面を含む取付ベースの上側部がわから見た要部斜視図である。
【図４】同じく図１におけるＣ−Ｃ線に沿う断面を含む取付ベースの上側部がわから見た要部斜視図である。
【図５】同じくトンネルの壁面に取り付けたときの使用状態の側断面図である。
【図６】同じく１本の配線部材を支持するに好適な実施例における斜視図である。
【図７】同じく２本の配線部材を支持するに好適な実施例における斜視図である。
【図８】同じく６本の配線部材を支持するに好適な実施例における斜視図である。
【発明を実施するための形態】
【００２０】
以下、図面を参照して本発明を実施するための一形態を説明すると、図において示される符号１は、取付面Ｔである例えば道路トンネルの壁面・天井面等のがわで開口されている断面で溝形を呈する取付ベースである。この取付ベース１には、取付面Ｔに固定するためにねじ止め固定させる固定部１０、取付面Ｔに当接して取付ベース１自体の回転を防止させる回転防止部２０、所定のケーブル、電線管等の配線部材Ｐを固定支持する支持部３０が設けられている。
【００２１】
取付ベース１自体は、例えば所定肉厚の溝形鋼材にて形成されており、後述するように配線部材Ｐを例えば跨いで取付ベース１に固定支持する配線支持金具４０を自身の内部に係合支持させるに足りる幅員、深さ（高さ）を備えると共に、固定支持する配線部材Ｐ数に対応する長さに形成されている。図示例にあっては、１本の配線部材Ｐを固定支持する場合（図６参照）、あるいは２本（図７参照）、４本（図１参照）、６本（図８参照）の配線部材Ｐを固定支持する場合等に対応して、所定長さに切断形成されるものとしてあるが、配線部材Ｐ数はこれらに限定されるものではない。
【００２２】
また、取付ベース１自体は、トンネルにおける彎曲面の彎曲度が例えばＲ＝４０００ｍｍ程度であった場合でも、取付ベース１のほぼ中央に配した固定部１０位置による締め付けによって、その彎曲度に沿って密着できる程度で取付ベース１自体が反り返り状に彎曲可能となるようにしてある。
【００２３】
固定部１０は、取付ベース１の奥部壁部分である上側部に設けられており、トンネルの取付面Ｔに例えば突出状に設けられるオネジアンカー材Ｕに嵌め合わせられる例えば円形状の固定孔１１として上側部に開穿形成され、この固定孔１１から外出されるオネジアンカー材Ｕのオネジ部分にナット材Ｎがねじ込まれるようになっている。そして図示のように、この固定部１０は、ナット材Ｎ、そのワッシャー、バネ座金等を位置決めさせ、若干でも収納されるようにした窪み状の段差部１２を固定孔１１の周縁に形成してあり、その強度も維持できるようにしてある。
【００２４】
尚、図示を省略したが、取付位置に対応して取付面Ｔに埋設したメネジアンカーに、固定孔１１を貫挿させた取付ボルトをねじ入れることで、取付ベース１を取付面Ｔに取り付けるようにしても良い。
【００２５】
また、この固定部１０は、１本の配線部材Ｐを固定支持するものとして取付ベース１が形成される場合には、取付ベース１自体の一方の端部に位置決めされていて、他方の端部に支持部３０が配される（図６参照）。２本、４本、６本等の配線部材Ｐを固定支持するものとして取付ベース１が形成される場合（図１、図７、図８参照）には、取付ベース１自体の中央部に位置決めされることで、配線荷重支持時のバランス、作業容易性等が図れるように考慮する。もとより、支持すべき配線部材Ｐ数に対応して取付ベース１の長さが選定されるとき、配線部材Ｐ数が奇数で設定される場合であっても可能な限り中央部に位置決めされることが望ましい。
【００２６】
回転防止部２０は、取付ベース１の開口部の両側縁に沿って所定間隔毎に取付ベース１の外方に突出形成させてある適数の爪片２１として設けられており、図示のように開口部縁から取付ベース１の側外方がわに向かって、僅かに取付ベース１の側部壁に対して例えば１３５度で折曲させることで延設したほぼ台形状を呈する翼状に形成されている。また、この爪片２１は、取付ベース１の開口部がわが取付面Ｔに当接されたときに、その端縁が取付面Ｔ上に僅かにでも引っ掛かる程度でいわば噛み合うように傾斜状態で起立されており、取付ベース１自体が取付面Ｔに当接したときの位置ずれを生じさせないようにしている。このため、例えば固定部１０によって取付ベース１自体がその開口部がわで取付面Ｔに１点支持状態で固定されたとしても、爪片２１が取付面Ｔに引っ掛かり、１点で支持している固定部１０を中心にしてでも回転しないものとなるようにしている。
【００２７】
この回転防止部２０における爪片２１は、図示のように例えば後述する支持部３０におけるそれぞれの配線部材Ｐの支持部位の両側にほぼ一致させて配設されているも、その配設位置はこれに限定されない。
【００２８】
また、この回転防止部２０の爪片２１において、取付ベース１における中央部がわから端部がわに至ると、その高さすなわち取付ベース１の開口部縁からの突出長さがやや大きくなるようにしてあり、取付ベース１を取付面Ｔに当接させたときに取付ベース１自体の中央部部分が僅かにでも取付面Ｔから浮いているような僅かな間隙が設定されるようにしてある。こうすることで、図５に示すように固定部１０部位で取付ベース１自体が取付面Ｔに固定されると、取付ベース１の端部がわの爪片２１が取付面Ｔに強く圧接され、ナット材Ｎによるオネジアンカー材Ｕに対する締め付け力を最大限に活用できて端部がわの爪片２１に対する回転防止力を一層強力にさせる。
【００２９】
支持部３０は、取付ベース１の上側部に配列形成されており、取付ベース１にほぼ直交させて配線される配線部材Ｐそれぞれを固定支持する所定の配線支持金具４０を係合する隣接する対状の支持孔３１として形成され、対状で組み合わせられる支持孔３１相互間には配線部材Ｐが載置される配線保護部３５が形成されている。この支持部３０自体は、配線支持すべき配線部材Ｐ数に対応して取付ベース１に形成されるもので、図６に示すように１本の配線部材Ｐを支持する場合には一対の支持孔３１から成り、図７に示すように２本の配線部材Ｐを支持する場合には例えば固定部１０の両側に配した計２対の支持孔３１から成り、図１に示すように４本の配線部材Ｐを支持する場合には同じく例えば固定部１０の両側に配した計４対の支持孔３１から成り、図８に示すように６本の配線部材Ｐを支持する場合には同じく例えば固定部１０の両側に配した計６対の支持孔３１から成る。もとより、支持すべき配線部材Ｐが増加する場合には、これに対応した数対の支持孔３１が配列形成されるのは勿論である。
【００３０】
支持孔３１自体は、支持すべき配線部材Ｐの大小径に対応するよう取付ベース１の長さ方向に沿って所定の幅員を備えた平面で例えば矩形状に開口形成されていて、隣接して組み合わせられる支持孔３１における内側の孔縁相互位置では小径の配線部材Ｐに、外側の孔縁相互位置では大径の配線部材Ｐに対応する配線支持金具４０の係合部４１が挿入係合されるようにしてある。
【００３１】
また、支持孔３１は、配線部材Ｐの配線方向に沿う前後の孔縁に、この孔縁から取付ベース１の内方に向けて、図示のように例えば取付ベース１の上側部に対してほぼ４５度で折曲延設された支持片３２の端縁に例えばローレット加工による例えば矩形角形の波形状の係合縁３３を形成して成る。この係合縁３３の窪み部分に、配線支持金具４０の係合部４１が係合されることで配線支持金具４０自体の位置ずれを阻止し、支持すべき配線部材Ｐの安定的、確実な支持が図れるようにしている。尚、係合縁３３は角波形状に限定されないのは勿論である。また、係合縁３３における窪みは、対状に組み合わせられる支持孔３１において、その一方では３個にし、他方では２個にしてあると共に、配線保護部３５における配線支持位置の中心に対して相互で非対称位置に配置形成する。こうすることで、配線支持すべき配線部材Ｐの大小に伴い使用される異なる配線支持金具４０の幅員、その係合位置等に対応させることができ、また、対状の係合部４１のいずれか一方が少なくとも係合するものとなり、支持後の配線支持金具４０による支持位置がずれることがないようにしている。
【００３２】
前記配線保護部３５は、対状となる支持孔３１相互間の取付ベース１の上側部位に形成されており、対状となる支持孔３１の相互の内側となる孔縁を取付ベース１の内方側に折曲あるいは彎曲させることにより、例えば絞り加工によって僅かに彎曲させることで形成されており（図５参照）、載置される配線部材Ｐの外側面との接触面積を少なくし、配線部材Ｐの外側面が保護されるようにしている。こうすることで、配線支持金具４０による係合支持時で従来から使用されている保護台座部材を省略できる。
【００３３】
もとより、図１に示すように配線保護部３５上に例えば取付ベース１を跨いで取付ベース１に弾発的でも嵌め合わせられる保護材３６を、配線保護部３５と配線部材Ｐとの間に介在されるように配置するも差し支えない。この保護材３６によって、配線部材Ｐの被覆等を保護し、その損傷防止を一層向上させる。
【００３４】
また、この配線保護部３５上に配線部材Ｐが位置決めされるから、その目印となるよう載置部分を指示する例えば小径窪み状の指示印３７を配線保護部３５の上面に形成してあり、こうすることで、複数の支持部３０によって多数の支持孔３１が連続的に配列されていても、配線部材Ｐの載置位置を容易に判別できるようにしている。
【００３５】
尚、図示例にあっての配線支持金具４０は、配線部材Ｐを跨ぐよう左右で一対の側部とこの側部を連結している上側部とから正面ほぼ溝形を呈すると共に、側部の下部にフック状の係合部４１を形成し、配線部材Ｐ上に被せた保護盤に対し上側部の外方からねじ入れ圧止する固定ネジ４２を備えて成るものとしてある。この配線支持金具４０は、図示例に限らないのであり、例えば取付ベース１の上側部に係合された状態で配線部材Ｐの左右両側から挟み込んで互いにねじ止めされる対状の挟持部材から成るものであっても良く、場合によっては支持部３０に挿通されるバンド材とされることもある。
【００３６】
次にこれの使用の一例を説明すると、例えば道路トンネル等の壁面である取付面Ｔに所定数のケーブル、電線管等の配線部材Ｐを配線等するとき、その配線数に対応した支持部３０を備えた取付ベース１が選択使用される。そして、配線方向に沿って所定間隔毎に取付面Ｔにオネジアンカー材Ｕを突出状にして配列して設けておく。次いで、配線方向に対してほぼ直交させた向きにした取付ベース１の固定部１０をオネジアンカー材Ｕに位置決めさせて嵌め合わせ、ナット材Ｎをねじ込み締め付けることで取付ベース１を取付面Ｔの配線位置に対応させて取り付ける。取付に際し、爪片２１の高さによって取付ベース１自体の中央部が取付面Ｔに対して若干でも間隙が生じて浮いている場合でも、ナット材Ｎをオネジアンカー材Ｕに強くねじ込むことで、取付ベース１自体を彎曲している取付面Ｔに沿って強制的にでも反り返り状に彎曲させて締め付け、取り付ける。
【００３７】
次いで、支持部３０における隣接して対状になる支持孔３１相互間に配されている指示印３７を目印として所定のケーブル、電線管等の配線部材Ｐをあてがい載置し、所定の配線支持金具４０の係合部４１を支持孔３１内に装入して所定位置の係合縁３３に噛み合わせ、配線部材Ｐを跨ぎ、あるいは挟持させてねじ止め固定する。
【００３８】
このように対状で組み合わせられる支持孔３１に係合する配線支持金具４０によって所定の配線部材Ｐを固定支持するのであり、１本の配線部材Ｐに限らず、複数本の配線部材Ｐに対しても同様に固定支持する。
【００３９】
尚、使用の一例としてトンネルの壁面に取り付ける場合として説明したが、トンネル内に限らず、他の壁面例えばビルその他の建築物における壁面、天井面等においても同様に使用可能であり、取付面に限定されるものではない。
【符号の説明】
【００４０】
Ｎ…ナット材                            Ｐ…配線部材
Ｔ…取付面                              Ｕ…オネジアンカー材
１…取付ベース
１０…固定部                            １１…固定孔
１２…段差部
２０…回転防止部                        ２１…爪片
３０…支持部                            ３１…支持孔
３２…支持片                            ３３…係合縁
３５…配線保護部                        ３６…保護材
３７…指示印
４０…配線支持金具                      ４１…係合部
４２…固定ネジ
【図１】
2015077020.tif 000003
【図２】
2015077020.tif 000004
【図３】
2015077020.tif 000005
【図４】
2015077020.tif 000006
【図５】
2015077020.tif 000007
【図６】
2015077020.tif 000008
【図７】
2015077020.tif 000009
【図８】
2015077020.tif 000010